(57)【要約】      （修正有）【課題】蓋に掛かる荷重によって収納箱が変形して蓋の上壁が収納物に当接することがない収納箱を提供する。【解決手段】底壁と、底壁の周縁に連設された側壁５，６，７，８とを備えた箱本体２と、天壁３１と、天壁の周縁に連設された周壁３４，３９とを備えた蓋部３とを備え、側壁は開口部に向かって幅狭なテーパ状に形成されており、側壁は開口部側が箱本体の内部側に傾斜しており、底壁は蓋部の開口部よりも広く形成されているので、側壁の傾斜角度を適当に設定することによって、蓋が閉じられて周壁の先端部が箱本体の側壁に当接したとき、収納物と蓋との間に一定の隙間を確保することができる。蓋に荷重が掛かった場合でも蓋が収納物に当接することを防止することができる。【選択図】図７
2015101378.tif 000002
【特許請求の範囲】
【請求項１】
底壁と、
底壁の周縁に連設された側壁とを備えた箱本体と、
天壁と、
天壁の周縁に連設された周壁とを備えた蓋部とを備えた収納箱において、
側壁は開口部に向かって幅狭なテーパ状に形成されており、
側壁は開口部側が箱本体の内部側に傾斜しており、
底壁は蓋部の開口部よりも広く形成されていることを特徴とする収納箱。
【請求項２】
請求項１に記載の収納箱であって、
蓋部の周壁には箱本体の側壁に形成された被係合部に係合する係合部が形成されていることを特徴とする収納箱。
【請求項３】
請求項１〜３のいずれか１項に記載の収納箱であって、
箱本体の底壁と側壁とを接続する角部には面取り部が設けられていることを特徴とする収納箱。
【請求項４】
請求項１〜４のいずれか１項に記載の収納箱であって、
蓋部の周壁には箱本体を覆っている蓋部を持ち上げるとき指を差し込み可能な切欠部が形成されていることを特徴とする収納箱。
【発明の詳細な説明】
【技術分野】
【０００１】
本発明は、収納物を収納する収納箱との製造方法に関する。
【背景技術】
【０００２】
進物等の収納物を収納する容器として、紙製の収納箱が利用されている。このような収納容器は、近年のエコ志向の高まりから、使用する紙の量を低減することが求められている。このため、収納箱の身を蓋よりも背丈を低くした収納容器が開発されている。例えば引用文献１には、蓋の隣接する側壁間の稜線の上部に、側壁に連続する係止段部を設け、係止段部を内向きに折り込んで糊代部を隣接する他方の側壁に粘着することにより、係止段部を隣接する側壁の稜線から内向きに突出させることが記載されている。箱本体に蓋を被せたとき、係止段部は、箱本体の周壁の上端に係止する。このようにすると箱本体の側壁の高さを低くすることができるので、収納箱を製造するために使用する原紙の量を削減することができる。
【先行技術文献】
【特許文献】
【０００３】
【特許文献１】特開２００４−２５６１７２号公報
【発明の概要】
【発明が解決しようとする課題】
【０００４】
ところが、以上の収納容器では蓋に掛かる荷重によって係止段部が潰れることがある。係止段部が潰れると、蓋の上壁が収容物に当接し、収容物が変形したり破損したりすることがある。
【０００５】
本発明は、以上のような問題点を解決するためになされたものである。本発明の主な目的は、蓋に掛かる荷重によって収納箱が変形して蓋の上壁が収納物に当接することがない収納箱を提供することである。
【課題を解決するための手段及び発明の効果】
【０００６】
上記目的を達成するために、本発明の一の収納箱によれば、底壁と、底壁の周縁に連設された側壁とを備えた箱本体と、天壁と、天壁の周縁に連設された周壁とを備えた蓋部とを備えた収納箱において、側壁は開口部に向かって幅狭なテーパ状に形成されており、側壁は開口部側が箱本体の内部側に傾斜しており、底壁は蓋部の開口部よりも広く形成されていることを特徴とする。
【０００７】
上記構成によると、側壁の傾斜角度を適当に設定することによって、蓋が閉じられて周壁の先端部が箱本体２の側壁に当接したとき、収納物と蓋との間に一定の隙間を確保することができる。蓋に荷重が掛かった場合でも蓋が収納物に当接することを防止することができる。
【０００８】
また、蓋部の周壁には箱本体の側壁に形成された被係合部に係合する係合部が形成されていることを特徴とする。
【０００９】
上記構成によると、箱本体の側壁に設けられた被係合部に、蓋の周壁の先端部に設けられた係合部が係合するので、箱本体に対して蓋の位置決めを行うことができ、収納物と蓋との間に一定の隙間を確実に確保することができる。また、蓋を箱本体に係合させるので、蓋に荷重が掛かった場合に、蓋が下がって収納物に当接することを確実に防止することができる。
【００１０】
また、箱本体の底壁と側壁とを接続する角部には面取り部が設けられていることを特徴とする。
【００１１】
上記構成によると、作業者が収納箱を持ち運ぶとき、収納箱が設置されている設置面と面取り部との間に指を差し込んで収納箱を容易に持ち上げることができる。
【００１２】
また、蓋部の周壁には箱本体を覆っている蓋部を持ち上げるとき指を差し込み可能な切欠部が形成されていることを特徴とする。
【００１３】
上記構成によると、作業者は箱本体に被せた蓋を取り外すときに、切欠部に指を差し込んで、箱本体に被せた蓋を容易に取り外すことができる。
【図面の簡単な説明】
【００１４】
【図１】本発明の第１の実施形態に係る収納箱の箱本体の展開図である。
【図２】蓋の展開図である。
【図３】箱本体の組み立て手順を示す図である。
【図４】箱本体の組み立て手順を示す図である。
【図５】箱本体の組み立て手順を示す図である。
【図６】箱本体の組み立て手順を示す図である。
【図７】収納箱の部品構成を示す斜視図である。
【図８】蓋を閉じた収納箱の斜視図である。
【図９】収納箱に収納物を収納した状態の断面図である
【図１０】第２の実施形態に係る箱本体の展開図である。
【図１１】蓋の展開図である。
【図１２】収納箱の部品構成を示す斜視図である。
【図１３】蓋を閉じた収納箱の斜視図である。
【図１４】収納箱に収納物を収納した状態の断面図である。
【図１５】蓋の展開図である。
【発明を実施するための形態】
【００１５】
以下、本発明の第１の実施形態について図１〜図９に基づいて説明する。ただし、以下に示す実施例は、本発明の技術思想を具体化するための収納箱を例示するものであって、収納箱を以下のものに特定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。図１は箱本体２の展開図であり、図２は蓋３の展開図である。図３〜図６は箱本体２の組み立て手順を示す図である。図７は収納箱１の部品構成を示す斜視図であり、図８は蓋３を閉じた収納箱の斜視図である。図９は収納箱１に収納物を収納した状態の断面図である。
【００１６】
本発明の第１の実施形態に係る収納箱１は箱本体２と蓋３とを備えている。箱本体２は、図１に示すように長方形状の底壁４と底壁４の周囲に連設される側壁５，６，７，８と備えている。対向する側壁５，６には各々幅狭な連結部９，１０を介して箱本体２の内側に折り返す折り返し壁１１，１２が設けられており、対向する側壁７，８には各々幅狭な連結部１３，１４を介して箱本体２の内側に折り返す折り返し壁１５，１６が設けられている。
【００１７】
側壁５，６の両側には折曲線１７を介して各々爪部１８が形成されており、折り返し壁１５，１６の両側には折曲線１９を介して各々爪部２０が形成されている。また折り返し壁１１，１２の端部には指を係合可能な半円状の切り欠き２３が設けられている。そして
底壁４と側壁５，６とを接続する折曲線２４，２５の中央には各々面取り部２６が設けられている。
【００１８】
蓋３は、図２に示すように長方形状の天壁３１を備えている。天壁３１の周囲には折曲線３２，３３を介して周壁３４，３５とが連設され、さらに折曲線３６，３７を介して周壁３８，３９とが連設されている。周壁３８，３９の両側部には折曲線４０を介して糊代４１が設けられている。この糊代４１は 周壁３４，３５に貼付される。
【００１９】
ここで箱本体２の組み立て手順について図３〜図６に基づいて説明する。まず底壁４に対して側壁７，８を立ち上げ、さらに幅狭な連結部１３，１４を介して折り返し壁１５，１６を箱本体２の内側に折り返す。側壁７，８と連結部１３，１４と折り返し壁１５，１６とで各々断面がコの字状の壁部２１，２２が形成される（図３参照のこと）。
【００２０】
そして折り返し壁１５，１６の両側に設けられた爪部２０を折り返し壁１５，１６に対して垂直に折り曲げる。さらに、側壁５，６の両側に設けられた爪部１８を側壁５，６に対して垂直に折り曲げる（図４参照のこと）。壁部２１，２２の内部に形成された空間に爪部１８を差し込みながら、側壁５，６を折り曲げ線２４，２５で折り曲げて立ち上げる（図５参照のこと）。そして、側壁５，６に対して連結部９，１０と折り返し壁１１，１２とを折り曲げ線４４，４５と４６，４７とで内部側に折り曲げて爪部２０を挟み込む（図６参照のこと）。なお、爪部２０の基端部には切り欠き４８が設けられており、内部側に折り曲げられた折り返し壁１１，１２の側部は、この切り欠き４８に係合して固定される。
【００２１】
対向する側壁５，６の両側部に位置し、隣接する側壁７，８に当接する折曲線１７はテーパ状に形成されており、対向する側壁７，８の両側部に位置し、隣接する側壁５，６に当接する側辺２７もテーパ状に形成されている。これによって、箱本体２が組み立てられたとき、側壁５，６及７，８は開口部側が内部側に傾斜しており、底壁４は開口部よりも広く形成される。
【００２２】
蓋３の組み立て手順について説明する。天壁３１の周囲に連設された周壁３８，３９を折曲線３６，３７で垂直に折り曲げ、さらに周壁３８，３９の両側部に連設された糊代４１を折曲線４０で周壁３８，３９に対して直角に折り曲げる。次に天壁３１の周囲に連設された周壁３４，３５とを折曲線３２，３３で垂直に折り曲げ、周壁３４，３５に糊代４１を貼付する。蓋３はこのようにして組み立てられる。
【００２３】
図９に示すように、収納箱１には、たとえば収納物として酒瓶を寝かした状態で収納するが、側壁５，６，７，８は収納物の高さよりも低いため収納物は箱本体２の開口部から突出している。箱本体２の側壁５，６，７，８は、開口部側が箱本体２の内部側に傾斜しており、また底壁４は蓋部３の開口部よりも広く形成されているので、蓋３を閉じたとき、蓋３の開口部を形成する周壁３４，３５，３８，３９の先端部が箱本体２の側壁５，６，７，８の外面に当接する。
【００２４】
側壁５，６，７，８の傾斜角度を適当に設定することによって、蓋３が閉じられて周壁３４，３５，３８，３９の先端部が箱本体２の側壁５，６，７，８に当接したとき、収納物と蓋３との間に一定の隙間を確保することができる。蓋に荷重が掛かる場合でも収納箱が変形して蓋の上壁が収納物に当接することを防止することができる。
【００２５】
底壁４と側壁５，６，７，８とを接続する折曲線２４，２５の中央には細長な面取り部２６が設けられているので、収納箱１を持ち運ぶとき、収納箱１が設置されている設置面と面取り部２６との間に指を差し込んで収納箱１を容易に持ち上げることができる。箱本体２の折り返し壁１１，１２の端部には、半円状の切り欠き２３が設けられているので、組み立てた箱を分解するとき、切り欠き２３に指を差し込んで、折り曲げられた折り返し壁１１，１２を容易に起こすことができる。
【００２６】
本発明の第２の実施形態について図面に基づいて説明する。なお第１の実施形態の説明と重複する部分については説明を省略し、同一の参照符を用いる。図１０は箱本体５０の展開図であり、図１１は蓋５１の展開図である。図１２は収納箱４９の部品構成を示す斜視図であり、図１３は蓋５１を閉じた収納箱４９の斜視図である。図１４は係合部５３が被係合部５２に係合した状態の断面図である。
【００２７】
箱本体５０の側壁５，６の中央部には、被係合部５２が設けられており、蓋５１の周壁３４，３５には被係合部５２に係合する係合部５３が形成されている。被係合部５２は、底部を形成する直線部５４と、直線部５４の両端から直線部に対して垂直に立ち上がる直線部５５とを備えたコの字状の切り込み５６を備えており、直線部５４の端部間には折曲線５７を備えている。コの字状の切り込み５６の内側には、折曲線５７で折り曲げられて押し込み可能な押し込み片５８が形成されている。蓋５１の周壁３４，３５の端部に形成される係合部５３は中央部に形成された幅広な凸部６１と凸部６１の両側に形成された凹部６２とを備えている。
【００２８】
図１４は収納箱４９に収納物を収納した状態の断面図である。収納箱４９には、たとえば瓶詰めされた酒などが収納物として収納されるが、側壁５，６，７，８は収納物の高さよりも低いため、収納物は収納箱５０の開口部から突出している。側壁５，６，７，８は、開口部側が箱本体５０の内部側に傾斜しており、また底壁４は蓋５１の開口部よりも広く形成されているので、蓋５１を閉じたとき、蓋５１の開口部を形成する周壁３４，３５，３８，３９の先端部が箱本体５０の側壁５，６，７，８の外面に当接する。
【００２９】
さらに、本実施の形態においては、箱本体５０の側壁５，６，７，８に設けられた被係合部５２に、蓋５１の周壁３４，３５の先端部に設けられた係合部５３が係合する。係合部５３は、凸部６１が被係合部５２の押し込み片５８を押し込んで切り込み５６の内側に係合し、凸部６１の両側に形成された凹部６２が直線部５４の両端に係合する。これによって、箱本体５０に対して蓋５１の位置決めを行うことができ、収納物と蓋５１との間に一定の隙間を確実に確保することができる。また、蓋５１を箱本体５０に係合させるので、蓋５１に荷重が掛かった場合に、蓋５１が下がって収納物に当接することを防止することができる。
【００３０】
なお、図１４の拡大図に示すように蓋５１の係合部５３が箱本体５０の被係合部５２に係合するとき、側壁５，６のうち、被係合部５２の切り込み５６の下側に位置し面取り部２６の上側に位置する部分６４が外側に凸状に膨れる。これによって、係合部５３の凸部６１を切り込み５６の内側に容易に係合させることができる。
【００３１】
さらに蓋５１の周壁３８，３９には、箱本体５０を覆っている蓋部５１を持ち上げるとき指を差し込み可能な半円状の切り欠き６９が形成されている。切り欠き６９に指を差し込んで、箱本体５０に被せた蓋５１を容易に取り外すことができる。
【００３２】
本実施の形態においては、蓋５１を箱本体５０に係合させる係合部５３を、対向する周壁３４，３５に２箇所設けているが、これに限定するものではなく、４つの各周壁３４，３５，３８，３９に各々設けることもできる。このようにすると、蓋５１の位置決めを各周壁に設けた４つの係合部５３で行うことができ、収納物と蓋５１との間に一定の隙間を一層確実に確保することができる。また、蓋５１に荷重が掛かった場合に、蓋５１が下がって収納物に当接することを一層確実に防止することができる。
【００３３】
なお、図１５に展開図を示す蓋７１を使用することもできる。蓋７１の係合部６６では、凸部６７の両側に形成される凹部６８は鋭角なＶ字状である。係合部６６の凹部６８をこのような形状とすると、凹部６８が被係合部５２の直線部５４の両端にさらに確実に係合させて、蓋７１が不用意の外れることを防止することができる。
【産業上の利用可能性】
【００３４】
本発明の収納箱は、酒や醤油などの瓶詰、あるいは缶詰、その他袋入り食料品などの収納物を収納する収納箱として好適に利用できる。
【符号の説明】
【００３５】
１，４９…収納箱
２，５０…箱本体
３，５１，７１…蓋
４…底壁
５，６，７，８…側壁
９，１０，１３，１４…連結部
１１，１２，１５，１６…折り返し壁
１７，１９，２４，２５，３２，３３，３６，３７，４０，４４，４５，４６，４７，５７…折曲線
１８，２０…爪部
２１，２２…壁部
２３，４８，６９…切り欠き
２６…面取り部
２７…側辺
３１…天壁
３４，３５，３８，３９…周壁
４１…糊代
５２…被係合部
５３，６６…係合部
５４，５５…直線部
５６…切り込み
５８…押し込み片
６１，６７…凸部
６２，６８…凹部
６４…部分
【図１】
2015101378.tif 000003
【図２】
2015101378.tif 000004
【図３】
2015101378.tif 000005
【図４】
2015101378.tif 000006
【図５】
2015101378.tif 000007
【図６】
2015101378.tif 000008
【図７】
2015101378.tif 000009
【図８】
2015101378.tif 000010
【図９】
2015101378.tif 000011
【図１０】
2015101378.tif 000012
【図１１】
2015101378.tif 000013
【図１２】
2015101378.tif 000014
【図１３】
2015101378.tif 000015
【図１４】
2015101378.tif 000016
【図１５】
2015101378.tif 000017